(57)【要約】
【課題】使用者の踏力に対する抵抗が調整できて足の筋肉が効果的に鍛えられる踏力訓練装置を提供しようとする。
【解決手段】前後両端と左右両側面を有する配置構造の台座と、上下両端と前後両面を有し、左右並列するように台座の上方に配置されると共に、下端近くがいずれも台座の前端近くに前後回動可能に枢支されて前面で使用者の両足を受ける一対のペダルと、上下両端を有し、左右並列するように一対のペダルの後方に配置されると共に、上端近くが左右対応するように一対のペダルの一つの後面の上端近くと互いに前後回動可能に枢接され、下端近くが台座の後端近くに前後回動且つ前後移動可能に枢支され、対応のペダルを介して使用者の踏力を受けると、圧迫されて縮みながら回復力を生じる一対の伸縮棒と、台座に設置されていて一対の伸縮棒の前記台座の後端近くに枢支されている下端近くを移動させる調整手段とを備える踏力訓練装置を提供する。
【選択図】図４                                                                               
0003099183.tif 000002
【実用新案登録請求の範囲】
【請求項１】
前後両端と左右両側面を有するように配置構造されている台座と、
　それぞれ上下両端と前後両面を有し、且つ、左右並列するように前記台座の上方に配置されると共に、下端近くがいずれも前記台座の前端近くに前後回動可能に枢支されていて前面で使用者の両足を受ける一対のペダルと、
　それぞれ上下両端を有し、且つ、左右並列するように前記一対のペダルの後方に配置されると共に、上端近くが左右対応するようにそれぞれ前記一対のペダルのうち一つの後面の上端近くと互いに前後回動可能に枢接され、下端近くがそれぞれ前記台座の後端近くに前後回動且つ前後移動可能に枢支されており、前記対応のペダルを介して使用者の踏力を受けると、圧迫されて縮みながら回復力を生じる一対の伸縮棒と、
　前記台座に設置されており前記一対の伸縮棒の前記台座の後端近くに枢支されている下端近くを移動させる調整手段とを備えることを特徴とする踏力訓練装置。
【請求項２】
前記台座の左右両側面にそれぞれ台座の後端近くから上前方へ徐々に上がり、前記一対の伸縮棒のうち対応する一本の上端近くと、前記一対のペダルのうち対応するひとつの上端近くとの、枢接箇所を中心としたアークになる一対の案内溝が形成してあり、前記一対の伸縮棒の下端近くがそれぞれ枢支ピンを介して該一対の案内溝のうち対応するひとつに回動且つ移動可能に枢支されていることを特徴とする請求項１に記載の踏力訓練装置。
【請求項３】
前記台座は前壁と左右対立する両側壁を有する中空体であり、前記両側壁の外面は前記左右両側面となり、且つ、該両側壁にそれぞれ前記案内溝となるアーク状の通孔が形成されており、
　そして、前記調整手段は、
　ヘッドが前記前壁外に露出するように、軸線を中心として回転可能に且つ該軸線方向に動かずに前記台座内に挿入設置されているヘッド付きねじ棒と、
　上下両端を有し、その上端近くが前記ヘッド付きねじ棒に貫通されながらねじ合わされ、下端近くに上下向きのスロットが形成された移動ラムとを備え、
　また、前記一対の伸縮棒の下端近くを前記一対の案内溝に枢支する前記枢支ピンは、上下だけの方向へ移動することができるように前記スロットを挿通遊嵌し、且つ、前記スロットの両端が前記一対の伸縮棒と対応する案内溝となるアーク状の通孔を貫通している同一の枢支ピンであり、
　前記ヘッド付きねじ棒が回転されると、前記移動ラムがその回転に伴って前記ヘッド付きねじ棒にそって移動し、前記枢支ピンを前記案内溝内に移動させることができることを特徴とする請求項２に記載の踏力訓練装置。
【請求項４】
前記伸縮棒の上端近くと対応するペダルの後面の上端近くとの間の枢接は、前記ペダルの後面の上端近くから後方へ突出している左右一対のラグにそれぞれ形成された一対の切り口で、前記伸縮棒の上端近くを貫通した枢支ピンの両突出端を取外し可能に枢支してなることを特徴とする請求項３に記載の踏力訓練装置。
【請求項５】
前記台座の後端に後方へ突出している取っ手が設置されていて、それによって手でその装置全体をぶら下げることができる請求項４に記載の踏力訓練装置。
【考案の詳細な説明】
【技術分野】
【０００１】
本考案は踏力訓練装置に関し、特にペダルを踏むことにより足の前後の筋肉を鍛えることができる踏力訓練装置に関する。
【背景技術】
【０００２】
　一般には、踏力訓練装置は台座の上方に、それぞれ前後両面を有し、それらの前面で使用者の両足を受ける一対のペダルが左右並列するように前後回動可能に枢接され、且つ、前記一対のペダルの後方に、それぞれ上下両端を有する一対の伸縮棒が左右並列するように配置され、それらの上端が対応のペダルの後面に枢接され、下端が前記台座に枢接されている。この一対の伸縮棒は前記対応のペダルを介して使用者の踏力を受けると圧迫されて縮みながら回復力を生じるので、使用者は両足で前記伸縮棒の回復力に対抗しながら前記一対のペダルを順番に踏むことにより足の前後の筋肉を鍛えることができる。
【考案の開示】
【考案が解決しようとする課題】
【０００３】
　しかしながら、このような従来の踏力訓練装置は、伸縮棒の踏力に対する抵抗が一定であって、使用者の具合や他の必要に応じて調整することができないので、足の筋肉が効果的に鍛えられないと欠点がある。
【０００４】
　上記に鑑みて、本考案の目的は伸縮棒の使用者の踏力に対する抵抗が調整できて足の筋肉が効果的に鍛えられる踏力訓練装置を提供しようとすることにある。
【課題を解決するための手段】
【０００５】
　前記目的を達成するために、考案者は、前後両端と左右両側面を有するように配置構造されている台座と、それぞれ上下両端と前後両面を有し、且つ、左右並列するように前記台座の上方に配置されると共に、それらの下端近くがいずれも前記台座の前端近くに前後回動可能に枢支されていてそれらの前面で使用者の両足を受ける一対のペダルと、それぞれ上下両端を有し、且つ、左右並列するように前記一対のペダルの後方に配置されると共に、それらの上端近くが左右対応するようにそれぞれ前記一対のペダルの一つの後面の上端近くと互いに前後回動可能に枢接され、下端近くがそれぞれ前記台座の後端近くに前後回動且つ前後移動可能に枢支されており、前記対応のペダルを介して使用者の踏力を受けると、圧迫されて縮みながら回復力を生じる一対の伸縮棒と、前記台座に設置されていて前記一対の伸縮棒の前記台座の後端近くに枢支されている下端近くを移動させる調整手段とからなることを特徴とする踏力訓練装置を提供する。
【考案の効果】
【０００６】
　この構成による踏力訓練装置によれば、その一対の伸縮棒の下端近くがそれぞれ前記台座の後端近くに前後回動且つ前後移動可能に枢支されているため、対応のペダルへ近付いたりまたはそれから遠ざかったりされ、伸縮棒とペダルとの狭角が変化され、伸縮棒による伸縮力のペダル後面に垂直する方向に落ちる分力が容易に調整できるので、伸縮棒の踏力に対する抵抗が使用者の具合や他の必要に応じて容易に調整することができ、足の筋肉が効果的に鍛えられるという従来にはない利点がある。
【考案を実施するための最良の形態】
【０００７】
　以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【０００８】
　まず、図１及び図２を参照しながら本考案の踏力訓練装置の実施形態を説明する。この踏力訓練装置は、主として台座１０と、一対のペダル２０と、一対の伸縮棒４０と、調整手段３０とからなっている。前記台座１０は、前後両端と左右両側面を有するように配置構造されている。前記一対のペダル２０は、それぞれ上下両端と前後両面を有し、且つ、左右並列するように前記台座１０の上方に配置されると共に、それらの下端近くがいずれも前記台座１０の前端近くに前後回動可能に枢支されている。この一対のペダル２０は、それらの前面で使用者の両足による踏力を受けるものである。前記一対の伸縮棒４０は、それぞれ上下両端を有し、且つ、左右並列するように前記一対のペダル２０の後方に配置されると共に、それらの上端近くが左右対応するようにそれぞれ前記一対のペダル２０の一つの後面の上端近くと互いに前後回動可能に枢接され、下端近くがそれぞれ前記台座１０の後端近くに前後回動且つ前後移動可能に枢支されている。この一対の伸縮棒４０は、エアシリンダーや油圧シリンダー，ハネ付き入れ子などであり、前記対応のペダル２０を介して使用者の踏力を受けると、圧迫されて縮みながら回復力を生じるものである。前記調整手段３０は、前記一対の伸縮棒４０の前記台座１０の後端近くに枢支されている下端近くを移動させることができるように前記台座１０に設置されている。
【０００９】
　次に、図４をも合わせて本実施形態をもっと詳しく説明する。前記台座１０の左右両側面１３，１３にそれぞれ台座１０の後端近くから上前方へ徐々に上がり、前記一対の伸縮棒４０のうち対応する一本の上端近くと、前記一対のペダル２０のうち対応するひとつの上端近くとの、枢接箇所を中心としたアークになる一対の案内溝１４が形成してあり、前記一対の伸縮棒４０の下端近くがそれぞれ枢支ピン１６を介して該一対の案内溝１４のそれと対応するひとつに回動且つ移動可能に枢支されている。また、前記台座１０は前壁１１と左右対立する両側壁１２，１２を有する中空体であり、前記両側壁１２，１２の外面は前記左右両側面１３，１３となり、且つ、該両側壁にそれぞれ前記案内溝１４，１４となるアーク状の通孔が形成されており、そして、前記台座１０の後端にそれから後方へ突出している取っ手１５が設置されていて、それによって手でその装置全体をぶら下げることができる。なお、前記調整手段３０は、ヘッド付きねじ棒３１と、移動ラム３２とからなっている。前記ヘッド付きねじ棒３１は、そのヘッド３３が前記前壁１１外に露出するように、その軸線を中心として回転可能に且つ該軸線方向に動かずに前記台座１０内に挿入設置されている。前記移動ラム３２は、上下両端を有し、その上端近くが前記ヘッド付きねじ棒３１に貫通されながらねじ合わされ、下端近くに上下向きのスロット３４が形成されている。また、前記一対の伸縮棒４０の下端近くを前記一対の案内溝１４に枢支する前記枢支ピン１６は上下だけの方向へ移動することができるように前記スロット３４を挿通遊嵌し、且つ、その両端がそれと対応する案内溝１４となるアーク状の通孔を貫通している同一の枢支ピンであり、それにより、前記ヘッド付きねじ棒３１が回転されると、前記移動ラム３２がその回転に伴って前記ヘッド付きねじ棒３１にそって移動し、前記枢支ピン１６を前記案内溝１４内に移動させることができる。
【００１０】
　このように構成された踏力訓練装置は、前記のように、その一対の伸縮棒４０の下端近くがそれぞれ前記台座１０の後端近くに前後回動且つ前後移動可能に枢支されているので、前記ヘッド３３を介して前記ヘッド付きねじ棒３１が回転されることにより、対応のペダル２０へ近付いたり（図６参照）またはそれから遠ざかったり（図４参照）され、伸縮棒４０とペダル２０との狭角が変化され、伸縮棒４０による伸縮力のペダル２０後面に垂直する方向に落ちる分力が容易に調整できる。たとえば、図４及び図５と図６及び図７とを比べると、前記枢支ピン１６が前記案内溝１４の最低位置（前記台座１０の後端近く）にあるとき、前記伸縮棒４０と前記ペダル２０との狭角が最大にあるので、前記伸縮棒４０による伸縮力の前記ペダル２０後面に垂直する方向に落ちる分力がもっとも大きくて使用者の加える踏力に対する抵抗が最大であり、作業が一番重いモードになる（図４及び図５を参照）。それに対し、前記枢支ピン１６が前記台座１０の後端近くから上前方へ徐々に上がりながら前記伸縮棒４０と前記ペダル２０との狭角が小さくなる時、前記伸縮棒４０による伸縮力の前記ペダル２０後面に垂直する方向に落ちる分力が小さくなって使用者の加える踏力に対する抵抗が小になる。即ち、前記枢支ピン１６が前記案内溝１４の最高位置（前記台座１０の上前方）にあるとき、前記伸縮棒４０と前記ペダル２０との狭角が最小にあるので、作業が一番軽いモードになる（図６及び図７を参照）。
【００１１】
　更に、図３に示すように、前記伸縮棒４０の上端近くとそれと対応するペダル２０の後面の上端近くとの間の枢接は、前記ペダル２０の後面の上端近くから後方へ突出している左右一対のラグ２１にそれぞれ形成された一対の切り口２２で、前記伸縮棒４０の上端近くを貫通した枢支ピン４１の両突出端を取外し可能に枢支してなる。この実施形態の踏力訓練装置を収納しようとする時、図４のような枢接状態になった前記枢支ピン４１を前記切り口２２から取外して（図３参照）から、該伸縮棒４０を後方へ倒し（図８参照）、そして、図９に示すように、前記ヘッド付きねじ棒３１を回転して前記枢支ピン１６を前記案内溝１４内の最高位置まで移してから、前記一対のペダル２０の上端を後方へ倒し前記伸縮棒４０の棒体をそれぞれ対応のペダル２０の後面における一対のラグ２１の間の隙間内に嵌入係合させることにより、本考案の踏力訓練装置をよりコンパクトに折り畳み収納することができる。
【００１２】
　なお、前記実施形態では、踏力訓練装置と呼び、且つ、両足でペダルを踏むように使用する例を示しているが、腕力訓練機と呼び、両手でペダルを押すことにより腕の筋肉を鍛えることもできる。
【００１３】
　即ち、以上説明した実施の形態は、あくまでも本考案の技術的内容を明らかにする意図のものにおいてなされたものであり、本考案はそうした具体例に限定して狭義に解釈されるものではなく、本考案の精神と実用新案登録請求の範囲に述べられた範囲で、いろいろと変更して実施できるものである。
【図面の簡単な説明】
【００１４】
【図１】本考案の踏力訓練装置の好ましい実施形態を示す斜視図
【図２】図１の後方から見た一部斜視図
【図３】前記実施形態におけるペダルの後面上端部を示す拡大斜視図
【図４】前記実施形態の作業がもっとも重いモードにある時の一部断面側面図
【図５】作業がもっとも重いモードにある時の前記実施形態の作動説明図
【図６】前記実施形態の作業がもっとも軽いモードにある時の一部断面側面図
【図７】作業がもっとも軽いモードにある時の前記実施形態の作動説明図
【図８】前記実施形態の踏力訓練装置を収束するためにその伸縮棒を倒した時の一部断面側面図
【図９】前記実施形態の踏力訓練装置の収束状態を示す側面図
【符号の説明】
【００１５】
１０    台座
１１    前壁
１２    側壁
１３    側面
１４    案内溝
１５    取っ手
１６    枢支ピン
２０    ペダル
２１    ラグ
２２    切り口
３０    調整手段
３１    ヘッド付きねじ棒
３２    移動ラム
３３    ヘッド
３４    スロット
４０    伸縮棒
４１    枢支ピン
【図１】
0003099183.tif 000003
【図２】
0003099183.tif 000004
【図３】
0003099183.tif 000005
【図４】
0003099183.tif 000006
【図５】
0003099183.tif 000007
【図６】
0003099183.tif 000008
【図７】
0003099183.tif 000009
【図８】
0003099183.tif 000010
【図９】
0003099183.tif 000011